(57)【特許請求の範囲】
【請求項１】
本体前面を開口し、発熱体1およびガード部材２を内装して、本体前面の開口前方を暖房エリヤとする電気ストーブにおいて、
本願発明は、発熱体1と機体背面板３との間に隔壁板4を設けて、機体背面板3と隔壁板4との間に、集熱ダクト5を形成して、加熱室Ｈに隣接する第２加熱室Ｈ２を形成し、
機体底部に加湿装置を設け、加湿装置11に電動ファンを付設し、加湿装置11の加湿室を集熱ダクト5の底面開口に連通させて、電動ファンにより、第２加熱室Ｈ２の温風を加湿室に供給し、
前記加湿室に通じる温風吹出し口19を本体下部前面に設け、
本体下部前面の加湿温風吹出し口へ、加湿温風を供給することにより、暖房室内の床面近傍に向け、加湿温風を供給することを特徴とする加湿器付き電気ストーブ。
【請求項２】
前記加湿装置11は、加湿フィルターを内装し水タンクより給水されて常時加湿用の水が満たされている加水室を有する加湿ケースで構成し、
第２加熱室Ｈ2よりの加熱空気が、加湿ケースの加水室を通過することにより、加熱空気が加湿され、加湿温風吹出し口へ供給されることを特徴とする、請求項1に記載する加湿器付き電気ストーブ。
【請求項３】
加熱室Ｈの天面の機体天面板の下方に、第２加熱室Ｈ2の上部開口に端縁を臨ませた遮熱誘導板７を設けたことを特徴とする、請求項1に記載する加湿器付き電気ストーブ。
【請求項４】
本体前面を開口し、発熱体1およびガード部材3を内装して、本体前面の開口前方を暖房エリヤとする電気ストーブにおいて、
発熱体1と機体背面板2との間に隔壁板4を設けて、機体背面板2と隔壁板4との間に、集熱ダクトを形成して、加熱室Ｈに隣接する第２加熱室Ｈ２を形成し、
機体底部に加湿装置を設け、加湿装置11に電動ファンを付設し、加湿装置11の加湿室10ａを集熱ダクト5の底面開口に連通させて、電動ファンにより、第２加熱室Ｈ２の温風を加湿室10ａに供給し、
前記加湿室10ａに通じる温風吹出し口11を本体下部前面に設け、
本体下部前面の加湿温風吹出し口へ、加湿温風を供給することにより、暖房室内の床面近傍に向け、加湿温風を供給するとともに、
前記発熱体1を、パネルヒーターの平板加熱板を隔壁板4と対向させて、単一または複数個のパネルヒーターで構成し、
第２加熱室Ｈ２の加熱室Ｈ側の対向面ほぼ均一に加熱することを特徴とする加湿器付き電気ストーブ。
【請求項５】
前記発熱体1について、前記パネルヒーターを複数個とし、最上段配置のパネルヒーターの平板加熱板を前方上向きの傾斜配置とし、残余のパネルヒーターについてその平板加熱板を垂直方向配置としたことを特徴とする請求項４に記載する加湿器付き電気ストーブ。
【発明の詳細な説明】
【技術分野】
【０００１】
本願発明は、電気ストーブにおける加湿装置に関するものである。より詳しくは、本体前面を開口し、発熱体1およびガード部材3を内装して、本体前面の開口前方を暖房エリヤとする電気ストーブにおける加湿装置に関するものである。
【背景技術】
【０００２】
この種の電気ストーブの加湿装置として、特開平１−２６９８３１号(特許文献１)「電気ストーブ」が公知である。
本体上部に加湿装置を装備し、加湿装置の温風吹出しし口を本体頂面に形成して、加湿温風を本体上方に向け吹出している。
加湿装置において加湿温風を発生させるための熱源として、本体の発熱体とは別に、加熱用ヒーターを装備している。
【０００３】
【特許文献１】特開平１−２６９８３１号
【発明の開示】
【発明が解決しようとする課題】
【０００４】
前記の公知技術において、加湿温風を本体上方に向け吹出していることで、加湿温風の供給は室内上半部である。すなわち、室内下半部（床面近傍）には十分な加湿が行われない問題点がある。
よって、室内下半部（床面近傍）に向けて、スチーム空気を供給することを課題とする。
また、加湿装置において加湿温風を発生させるための熱源として、本体の発熱体による加熱構造として、独立した加湿装置用の熱源を不要とすることを課題とする。
【課題を解決するための手段】
【０００５】
本願第１発明(請求項1、2、３の発明)は、発熱体1と機体背面板3との間に隔壁板4を設けて、機体背面板3と隔壁板4との間に、集熱ダクトを形成して、加熱室Ｈに隣接する第２加熱室Ｈ２を形成する。機体底部に加湿装置11を設け、加湿装置11に電動ファンを付設し、加湿装置11の加湿室を集熱ダクト5の底面開口に連通させて、電動ファンにより、第２加熱室Ｈ２の温風を加湿室に供給する。前記加湿室に通じる温風吹出し口19を本体下部前面に設け、本体下部前面の加湿温風吹出し口へ、加湿温風を供給することにより、暖房室内の床面近傍に向け、加湿温風を供給することを特徴とする。
本願第２発明(請求項４、5の発明)は、第１発明に加えて、前記発熱体1を、パネルヒーターの平板加熱板を隔壁板4と対向させて、単一または複数個のパネルヒーターで構成し、第２加熱室Ｈ２の加熱室Ｈ側の対向面ほぼ均一に加熱することを特徴とする。前記パネルヒーターを複数個とし、最上段配置のパネルヒーターの平板加熱板を前方上向きの傾斜配置とし、残余のパネルヒーターについてその平板加熱板を垂直方向配置とすることで、加熱室Ｈの発熱体1を効果的に利用して、第２加熱室Ｈ２へ導入した空気Kを高温とする。
【発明の効果】
【０００６】
本願発明は、機体底部の加湿室へ、加湿室に付設した電動ファンにより、第２加熱室Ｈ２の温風を供給し、本体下部前面の加湿温風吹出し口へ、加湿温風を供給するものであるから、暖房室内の床面近傍に向け、加湿温風を供給することができる。
また、加熱室Ｈに隣接させて形成した第２加熱室Ｈ２内を強制降下させることで、高温空気を加湿室10に供給することができて、加湿用の加熱手段を不要とする。
【発明を実施するための最良の形態】
【０００７】
本発明の好適な実施例について、添付図面を参照して説明する。
【０００８】
図１ないし図５を参照して、
Ａは、発熱体(パネルヒーター)1を内装した電気ストーブで、機体前面を開口してガード部材２を内装して、本体前面の開口前方を暖房エリヤとする。
【０００９】
発熱体1と機体背面板３との間に隔壁板4を設ける。
【００１０】
機体背面板３と隔壁板4とにより、集熱ダクト5を形成して、集熱ダクト5の内部空間を、加熱室Ｈの背面側に隣接する第２加熱室Ｈ2を形成する。
【００１１】
集熱ダクト5の頂面開口５ａを通じて第２加熱室Ｈ2は加熱室Ｈと連通している。
【００１２】
集熱ダクト5の上方および加熱室Ｈの上方には機体頂面板６を位置させるが、遮熱誘導板7を、機体頂面板６の下方、加熱室Ｈ内に設けて、機体天面の過熱を防止するとともに、加熱室Ｈ内より第２加熱室Ｈ2内へ温風を誘導する。
【００１３】
集熱ダクト5の下部に底面開口５ｂを形成し、電動ファン９を介して加湿装置11に、第２加熱室Ｈ2を連通させる。
【００１４】
電動ファン９および水タンク１０の上方を覆う背面カバー８を機体頂面板６に延設する。
【００１５】
加湿装置11は、加湿フィルター(保水部材)１２を内装した加水室１３を有する加湿ケース１４で構成する。
【００１６】
加湿ケース１４には、加水室１３の片面(入力側)に温風受け室１6を、他面(出口側)に加湿温風出口室15をそれぞれ連設している。
【００１７】
また、加湿ケース１４の一部(例えば温風受け室１４の側面側)に、水タンク１０の下方に位置して、加湿水受け室１６が形成されている。
【００１８】
加湿水受け室１６および加水室１３には、加湿ケースの底面に保水シート１７が内装され、水タンク１０より給水されて、加水室１3の底面には、常時加湿用の水が満たされている。よって、保水シート１７に底面が接触している加湿フィルター(不織布シート等の保水部材)１２には、常時、加湿用の水が供給されている。
【００１９】
水タンクを、逆直立壜状（ペットポトル状）の筒体で構成し、加湿ケースの底面に内装した保水シートに筒体の頭部先端開口を接当させ、保水シートを介して加水室の保水部材に毛細管現象により水タンクの加湿水を供給する自動式給水タンクを構成している。
【００２０】
加湿ケース１４の加湿温風出口室15の上面に加湿温風吹出しケース１８を戴置して、加湿温風吹出しケース１８の加湿温風室Ｈ3を加湿温風出口室15に連通させる。
【００２１】
加湿温風吹出しケース１８は、機体底部に位置して装着され、その加湿温風吹出し口１９は、機体前面底部に位置している。
【００２２】
図４を参照して、発熱体1は、ダクト５の両側方に位置する取付金具２４を介して、機体背面板３に固定されている。２０は機体底面板、２1は加湿ケース１４の支持台、２2は加湿ケース１４の前面固定用ばね体、２4は水タンク１０の固定用のばね体である。
【００２３】
機体底面板２０は、加湿ケース１４における加湿水受け室１６、温風受け室１４、および加湿温風出口室15に対向する箇所を開口している。
【００２４】
電気ストーブＡは、左右一対の支持台２5および車輪２６により、移動自在とする。
【００２５】
本願発明は、電気ストーブＡの運転にあたり、第２加熱室Ｈ２は隔壁板4を介して発熱体(ヒーター)1により加熱される。
電動ファンにより吸引されて第２加熱室Ｈ２を降下する空気は加熱されつつ降下して、加熱空気が、加湿装置11の加湿ケースの加水室１３を通過して、加水室１３の加湿フィルター(保水部材)１２に加熱空気が供給される。
【００２６】
加水室１３の加湿フィルター(保水部材)１２には、水タンク１０より、常時、加湿用の水が毛細管現象で供給されている。
【００２７】
加湿フィルター(不織布シート成型品等の保水部材)１２を通過した加熱空気は、加湿温風となって加湿温風吹出しケース１８の加湿温風室Ｈ3に供給される結果、加湿温風吹出しケース１８の加湿温風室Ｈ3より、加湿温風を室内へ吹き出す。
【００２８】
かくして、暖房室内の床面近傍に向け、加湿温風を供給する。
【００２９】
上述の実施例においては、発熱体1を、パネルヒーターとして、パネルヒーターを加熱源とするパネルヒーター型電気ストーブとしたが、電気加熱源をパネルヒーター以外の電気ヒーターとする電気ストーブに第１発明を実施することができるものである。
例えば、加熱室の中心に垂直方向または横方向に配置した単一又は複数本の棒状電気発熱体(シールドヒーター)を電気加熱源とすることで、輻射型電気スーブに適用することができる。
【００３０】
本願第２発明は、前述の第１発明において、パネルヒーター型電気ストーブに限定するものであり、図１、図２、図４を参照して、前記発熱体1を、面状電気発熱体、すなわち、パネルヒーターの平板加熱板1aを隔壁板4と対向させて、単一または複数個のパネルヒーターで構成する。
【００３１】
パネルヒーターは、上下二枚の金属平板を接着した平板加熱板1aと平板加熱板1aの中心部に挟み込んだ棒状電気発熱体(棒状シールドヒーター)1bとよりなり、面状電気発熱体を構成して、平板加熱板1aの前面および背面の空間を加熱する。
【００３２】
単一または複数個のパネルヒーターは、隔壁板4と対向かつ対面していることで、隔壁板4のほぼ全面を均一に加熱する。その結果、第２加熱室Ｈ２は、加熱室Ｈ側よりほぼ均一に加熱される。
【００３３】
また、図１、図２、図４を参照して、実施例では、発熱体1について、前記パネルヒーターを複数個とし、最上段配置のパネルヒーターA1の平板加熱板1aを前方上向きの傾斜配置とし、残余のパネルヒーターB1についてその平板加熱板1aを垂直方向配置とした。
【００３４】
最上段配置のパネルヒーターA1の平板加熱板1aを前方上向きの傾斜配置としたことで、最上段配置のパネルヒーターA1の前面は、ストーブの前方上方に対向することで、電気ストーブAの暖房空間を上方へ拡大する。
最上段配置のパネルヒーターA1の背面は、隔壁板4に対し下向き傾斜で対向することで、第２加熱室Ｈ２の上端部を除外し第２加熱室Ｈ２の中間部寄りに加熱することで、最上段配置のパネルヒーターA1はより効果的に第２加熱室Ｈ２の加熱空気K2を加熱する。その結果、第２加熱室Ｈ２の加熱空気K2は高温となり、加湿装置11に、より高温の加熱空気K2が供給きれ、加湿装置11の加湿作用は増大する。
【産業上の利用可能性】
【００３５】
本願発明は、電気ストーブの使用価値を高め、電気ストーブの製造販売を増進して、電気ストーブ製造業等の産業発展に寄与するものである。
【図面の簡単な説明】
【００３６】
【図１】本願発明の実施例を示す電気ストーブ正面図。
【図２】同じく側面図。
【図３】同じく背面図。
【図４】同じく縦断面図。
【図５】同じく水タンク給水位置における部分縦断面図。
【図６】除湿装置の分解斜視図。
【図７】本願発明の電気ストーブの作用を示す縦断面図。
【図８】加熱室および第２加熱室の横断面図。
【符号の説明】
【００３７】
H     加熱室
H2   第２加熱室
1     発熱体(パネルヒーター)
A1   最上段配置のパネルヒーター
A2   残余のパネルヒーター
3     機体背面板
4     隔壁板
5     集熱ダクト
7     遮熱誘導板
9     電動ファン
10   水タンク
11   加湿装置
12   加湿フィルター
13   加水室
14   加湿ケース
18   風吹出しケース
19   加湿温風吹出し口
【図１】
0005257583.tif 000002
【図２】
0005257583.tif 000003
【図３】
0005257583.tif 000004
【図４】
0005257583.tif 000005
【図５】
0005257583.tif 000006
【図６】
0005257583.tif 000007
【図７】
0005257583.tif 000008
【図８】
0005257583.tif 000009